(57)【特許請求の範囲】
【請求項１】
建屋のシャッター付き換気扇を取付ける換気扇取付枠に設けた吸気又は排気用の一方の開口と排気又は吸気用の他方の開口を備えた換気扇用のカバーと、この換気扇取付枠に設けた換気扇と、前記換気扇取付枠の上下枠に基端を設け、かつ前記建屋の内側に先端があるガイドレールと、このガイドレールに併設し、かつ前記換気扇取付枠の上下枠に基端を設け、かつ前記建屋の内側に先端があるサイドレールと、このガイドレールに移動可能に設け、かつ前記シャッターに枢支した、旋回兼移動用の手段と、で構成し、
前記シャッターを前記上下枠に設けた前記ガイドレールの基端において回転可能とし、またこのシャッターが前記ガイドレールの先端において、建屋の内側に位置するとともに、このシャッターを前記サイドレールに固止し、また前記建屋の内側に位置するときに、このシャッターと前記建屋の壁面との間に空気流通用の隙間が形成される構成とした換気扇の構造。
【請求項２】
請求項１に記載の旋回兼移動用の手段は、前記ガイドレールの長孔と、この長孔に挿入し、かつ前記シャッターに枢支した止め具とでなる構成とした換気扇の構造。
【請求項３】
建屋のシャッター付き換気扇を取付ける換気扇取付枠に設けた吸気又は排気用の一方の開口と排気又は吸気用の他方の開口を備えた換気扇用のカバーと、この換気扇取付枠に設けた換気扇と、前記換気扇取付枠の上下枠に基端を設け、かつ前記建屋の内側に先端があるガイドレールと、このガイドレールに併設し、かつ前記換気扇取付枠の上下枠に基端を設け、かつ前記建屋の内側に先端があるサイドレールと、このガイドレールに内装、又は外装して設けた移動可能なスライダーと、このスライダーに枢支した前記シャッターで構成し、前記シャッターを前記ガイドレールの基端において回転可能とし、またこのスライダー及び／又はシャッターが前記ガイドレールの先端において、建屋の内側に位置するとともに、このシャッターを前記サイドレールに固止し、また前記建屋の内側に位置するときに、このシャッターと前記建屋の壁面との間に空気流通用の隙間が形成される構成とした換気扇の構造。
【請求項４】
請求項３に記載のスライダーには、前記ガイドレールの長孔に挿入し、かつシャッターに枢支した止め具が固止される構成とした換気扇の構造。
【請求項５】
請求項１又は請求項３に記載の換気扇用のカバーの他方の開口は、前記建屋の壁面に設けた換気扇取付枠と同じ鉛直線上にある構成とした換気扇の構造。
【請求項６】
請求項１又は請求項３に記載のカバーの少なくとも天板部は、前記シャッターを基端で回転した際に、衝止しない位置に設けられている構成とした換気扇の構造。
【発明の詳細な説明】
【技術分野】
【０００１】
本発明は、吸気及び／又は排気用、又は吸気と排気の空気を混合できる多機能方式の換気扇の構造であって、所定の位置におけるシャッターの回転を利用して吸気用の換気扇、又は排気用の換気扇、若しくは混合用の換気扇として利用可能な多機能方式の換気扇の構造に関する。
【背景技術】
【０００２】
従来、この種の換気扇は、吸気用と排気用に区別され、建屋の換気扇取付枠に固止される構成であった。従って、ハウス、温室、畜舎、工場等（建屋）内の温湿度管理を、例えば、ハウス内の作物の育苗、成長、摘採等の各種の成育状況、又は作物の種類、また土壌及び／又は気候等の他の成育条件等によって、最適な成育状況を確保するには必ずしも十分とは云えないこと、また農作物の収穫の増大と、高品質の農作物を成育するには、改良の余地が考えられること等の問題点を抱えている。
【０００３】
そして、一部に本発明と同様に、吸気及び／又は排気用（給排気）、又は吸気と排気の空気を混合（混合空気）できる多機能方式の換気扇が提案されている。そして、この提案の換気扇は、主としてハウス用の小型の換気扇に関するものである。この提案による構成を検討した処、本発明が意図する農事用、畜産用又は工場用の大型換気扇には不向きであると考えられる。
【０００４】
以上の問題点を解決するために、一基の換気扇であっても、その吸込（吸気）及び／又は吹出（排気）方向を適宜変更できる構成と、併せてハウスの内側で回転することで、吸込空気（外気）とハウス内の空気（内気）との混合ができる構成を提案することで、ハウス内の温湿度管理をかなり精緻に行い得ることを知見した。そして、この提案を踏まえて従来技術を検索したので、その一例を説明する。以下、文献（１）、文献（２）とする。
【０００５】
先ず、文献（１）は特開２００１−２０８９３の「換気扇」であって、この発明は、換気用ファンと吸気用ファンを環状に配設するとともに、この換気用ファンを送出空気流路に、吸気用ファンを送入空気流路にそれぞれ配設し、この換気用ファン及び／又は吸気用ファンを適宜駆動することで、給排気を同時に行う構成であり、換気の効率化、又は一基で給排気が図れる特徴がある。
【０００６】
次に文献（２）は特開２００４−２５１１９０の「送風機」であって、この発明は、風通路を内側ケーシングで区画し、その環状外側に外側ブレードを、またこの環状外側で区画した環状内側に、内側ブレードを配設し、前記環状内側を閉塞するようにスライドシャッターを配設するとともに、このスライドシャッターの全閉・全開で、内外の空気を個別に吸気又は排気するか、またこのスライドシャッターの開閉の調整で、混合空気の内外気の混合割合を調整する構成とし、換気と、混合空気の吸込（導入）を介して室温及び／又は湿度の調整を図り、快適な生活が図れる特徴がある。
【０００７】
また文献（３）は特開平９−１５１８９５号の「換気扇」であって、建物の開口部に取付けられる換気扇の円環状の枠体と、枠体の周方向に移動可能に支持し、開口部に取付けられる支持手段と、前記枠体を周方向に移動させる駆動手段とを備え、枠体が回転することで該枠体の羽根体が一体に回転する構成であり、この発明は、従来のように羽根体の回転領域内に駆動手段はなく、空気の移動を妨げるものがないので、極めて効率良く送風できる特徴がある。
【０００８】
【特許文献１】特開２００１−２０８９３
【特許文献２】特開２００４−２５１１９０
【特許文献３】特開平９−１５１８９５号
【発明の開示】
【発明が解決しようとする課題】
【０００９】
前記文献（１）、（２）は、環状に配した内外側ブレード（内外側ファン）を利用した吸排気（給排気）及び／又は混合空気を生成する構成であり、少なくとも二基のブレード（ファン：羽根）を配備することが必要となる。従って、構造が複雑となること、その保守管理に手間を要すること等の問題点を抱えている。また本発明が意図する農事用、畜産用又は工場用の大型換気扇への採用を考慮した場合には、騒音の問題が発生し、その解決策が必須要件となり得ること、又は二基の大型ブレードを組付ける構成となることから、構造上での困難性があり得ること等の改良点が考えられる。
【００１０】
また文献（３）は、支持部材に換気扇の枠体（換気扇枠体）を回転可能に設けることで、この枠体と羽根体を一体に回転する構成である。従って、この発明は、建屋に換気扇枠体が回転可能であるが、本発明が意図する室内外方向への空気の吸気及び／又は排気をすることはできない。
【００１１】
上記に鑑み本発明は、換気扇取付枠に設け、かつこの換気扇取付枠よりハウスの内側に向かって延設した（突出した）ガイドレールと、このガイドレールに移動可能及び／又は枢支したスライダーにシャッターを軸支し、このシャッターを前記ガイドレールの基端と先端で回転可能とした構成を採用することで、当該換気扇のシャッターの方向（吸気方向／排気方向）を変更可能とすること、また混合空気の生成を可能とし、ハウス内の温度（湿度）管理を精緻にすること、ハウス内の作物に最適な温度を常時コントロール可能とし、作物の成育の向上、健全化、又は品質の向上と、収穫量の拡充を図ること等を意図する。また工場内では、環境の維持と、温度管理を介して職場の環境保持、又は人の健康に役立つ吸排気方法を提供すること等を意図する。そして、また前述した如く、一基の換気扇を吸気用の換気扇と、排気用の換気扇へ変更及び／又は選択できる構成を提案して、ハウス内の温度及び／又は湿度を選択的に変更可能とする換気扇の構造を提案する。
【課題を解決するための手段】
【００１２】
請求項１の発明は、換気扇取付枠に設け、かつこの換気扇取付枠よりハウスの内側に向かって突出したガイドレールと、このガイドレールに移動可能及び／又は枢支したスライダーにシャッターを軸支し、このシャッターを前記ガイドレールの基端と先端で回転可能とした構成を採用することで、当該換気扇のシャッターの方向（吸気方向／排気方向）を変更可能とすること、また混合空気の生成を可能とし、ハウス内の温度（湿度）管理を精緻にすること、ハウス内の作物に最適な温度を常時コントロール可能とし、作物の成育の向上、健全化、又は品質の向上と、収穫量の拡充を図ること等を意図する。また工場内では、環境の維持と、温度管理を介して職場の環境保持、又は人の健康に役立つ吸排気方法を提供すること等を意図する。そして、また前述した如く、一基の換気扇を吸気用の換気扇と、排気用の換気扇へ変更及び／又は選択できる構成を提案して、ハウス内の温度及び／又は湿度を選択的に変更可能とする換気扇の構造を提案する。
【００１３】
請求項１は、建屋のシャッター付き換気扇を取付ける換気扇取付枠に設けた吸気又は排気用の一方の開口と排気又は吸気用の他方の開口を備えた換気扇用のカバーと、この換気扇取付枠に設けた換気扇と、前記換気扇取付枠の上下枠に基端を設け、かつ前記建屋の内側に先端があるガイドレールと、このガイドレールに併設し、かつ前記換気扇取付枠の上下枠に基端を設け、かつ前記建屋の内側に先端があるサイドレールと、このガイドレールに移動可能に設け、かつ前記シャッターに枢支した、旋回兼移動用の手段と、で構成し、
前記シャッターを前記上下枠に設けた前記ガイドレールの基端において回転可能とし、またこのシャッターが前記ガイドレールの先端において、建屋の内側に位置するとともに、このシャッターを前記サイドレールに固止し、また前記建屋の内側に位置するときに、このシャッターと前記建屋の壁面との間に空気流通用の隙間が形成される構成とした換気扇の構造である。
【００１４】
請求項２の発明は、請求項１の目的を達成すること、この目的を達成するのに最適な旋回兼移動用の手段を提供すること等を意図する。
【００１５】
請求項２は、請求項１に記載の旋回兼移動用の手段は、前記ガイドレールの長孔と、この長孔に挿入し、かつ前記シャッターに枢支した止め具とでなる構成とした換気扇の構造である。
【００１６】
請求項３の発明は、請求項１の目的を達成すること、この目的を達成するのに最適で、かつ経済性と、構造の簡略化、又は組付け作業の容易化等が図れ、しかもハウスに最適な構造を提供すること等を意図する。
【００１７】
請求項３は、建屋のシャッター付き換気扇を取付ける換気扇取付枠に設けた吸気又は排気用の一方の開口と排気又は吸気用の他方の開口を備えた換気扇用のカバーと、この換気扇取付枠に設けた換気扇と、前記換気扇取付枠の上下枠に基端を設け、かつ前記建屋の内側に先端があるガイドレールと、このガイドレールに併設し、かつ前記換気扇取付枠の上下枠に基端を設け、かつ前記建屋の内側に先端があるサイドレールと、このガイドレールに内装、又は外装して設けた移動可能なスライダーと、このスライダーに枢支した前記シャッターで構成し、前記シャッターを前記ガイドレールの基端において回転可能とし、またこのスライダー及び／又はシャッターが前記ガイドレールの先端において、建屋の内側に位置するとともに、このシャッターを前記サイドレールに固止し、また前記建屋の内側に位置するときに、このシャッターと前記建屋の壁面との間に空気流通用の隙間が形成される構成とした換気扇の構造である。
【００１８】
請求項４の発明は、請求項３の目的を達成すること、この目的を達成するのに最適なスライダーを提供すること等を意図する。
【００１９】
請求項４は、請求項３に記載のスライダーには、前記ガイドレールの長孔に挿入し、かつシャッターに枢支した止め具が固止される構成とした換気扇の構造である。
【００２０】
請求項５の発明は、請求項１又は請求項３の目的を達成すること、この目的を達成するのに最適なカバーの他方の開口と換気扇取付枠の構造を提供すること等を意図する。そして、またハウスの邪魔にならない部位に換気扇及び／又はその付属装置を配設することを意図する。
【００２１】
請求項５は、請求項１又は請求項３に記載の換気扇用のカバーの他方の開口は、前記建屋の壁面に設けた換気扇取付枠と同じ鉛直線上にある構成とした換気扇の構造である。
【００２２】
【００２３】
【００２４】
請求項６の発明は、請求項１又は請求項３の目的を達成すること、この目的を達成するのに最適なカバーの構造を提供すること等を意図する。
【００２５】
請求項６は、請求項１又は請求項３に記載のカバーの少なくとも天板部は、前記シャッターを基端で回転した際に、衝止しない位置に設けられている構成とした換気扇の構造である。
【発明の効果】
【００２６】
請求項１の発明は、建屋のシャッター付き換気扇を取付ける換気扇取付枠に設けた吸気又は排気用の一方の開口と排気又は吸気用の他方の開口を備えた換気扇用のカバーと、換気扇取付枠に設けた換気扇と、換気扇取付枠の上下枠に基端を設け、かつ建屋の内側に先端があるガイドレールと、ガイドレールに併設し、かつ換気扇取付枠の上下枠に基端を設け、かつ建屋の内側に先端があるサイドレールと、ガイドレールに移動可能に設け、かつシャッターに枢支した、旋回兼移動用の手段と、で構成し、シャッターを上下枠に設けたガイドレールの基端において回転可能とし、またシャッターがガイドレールの先端において、建屋の内側に位置するとともに、シャッターをサイドレールに固止し、また建屋の内側に位置するときに、シャッターと建屋の壁面との間に空気流通用の隙間が形成される構成とした換気扇の構造である。
【００２７】
従って、請求項１は、換気扇取付枠に設け、かつこの換気扇取付枠よりハウスの内側に向かって突出したガイドレールと、このガイドレールに移動可能及び／又は枢支したスライダーにシャッターを軸支し、このシャッターを前記ガイドレールの基端と先端で回転可能とした構成を採用することで、当該換気扇のシャッターの方向（吸気方向／排気方向）が変更可能となること、また混合空気の生成を可能とし、ハウス内の温度（湿度）管理を精緻にできること、ハウス内の作物に最適な温度を常時コントロール可能とし、作物の成育の向上、健全化、又は品質の向上と、収穫量の拡充が図れること等の特徴がある。また工場内では、環境の維持と、温度管理を介して職場の環境保持、又は人の健康に役立つ吸排気方法を提供できること等の特徴がある。そして、また前述した如く、一基の換気扇を吸気用の換気扇と、排気用の換気扇へ変更及び／又は選択できる構成を提案して、ハウス内の温度及び／又は湿度が選択的に変更可能となる換気扇の構造を提案できる実益がある。
【００２８】
請求項２の発明は、請求項１に記載の旋回兼移動用の手段は、ガイドレールの長孔と、長孔に挿入し、かつシャッターに枢支した止め具とでなる構成とした換気扇の構造である。
【００２９】
従って、請求項２は、請求項１の目的を達成できること、この目的を達成するのに最適な旋回兼移動用の手段を提供できること等の特徴がある。
【００３０】
請求項３の発明は、建屋のシャッター付き換気扇を取付ける換気扇取付枠に設けた吸気又は排気用の一方の開口と排気又は吸気用の他方の開口を備えた換気扇用のカバーと、換気扇取付枠に設けた換気扇と、換気扇取付枠の上下枠に基端を設け、かつ建屋の内側に先端があるガイドレールと、ガイドレールに併設し、かつ換気扇取付枠の上下枠に基端を設け、かつ建屋の内側に先端があるサイドレールと、ガイドレールに内装、又は外装して設けた移動可能なスライダーと、スライダーに枢支したシャッターで構成し、シャッターをガイドレールの基端において回転可能とし、またスライダー及び／又はシャッターがガイドレールの先端において、建屋の内側に位置するとともに、シャッターをサイドレールに固止し、また建屋の内側に位置するときに、シャッターと建屋の壁面との間に空気流通用の隙間が形成される構成とした換気扇の構造である。
【００３１】
従って、請求項３は、請求項１の目的を達成できること、この目的を達成するのに最適で、かつ経済性と、構造の簡略化、又は組付け作業の容易化等が図れ、しかもハウスに最適な構造を提供できること等の特徴がある。
【００３２】
請求項４の発明は、請求項３に記載のスライダーには、ガイドレールの長孔に挿入し、かつシャッターに枢支した止め具が固止される構成とした換気扇の構造である。
【００３３】
従って、請求項４は、請求項３の目的を達成できること、この目的を達成するのに最適なスライダーを提供できること等の特徴がある。
【００３４】
請求項５の発明は、請求項１又は請求項３に記載の換気扇用のカバーの他方の開口は、建屋の壁面に設けた換気扇取付枠と同じ鉛直線上にある構成とした換気扇の構造である。
【００３５】
従って、請求項５は、請求項１又は請求項３の目的を達成できること、この目的を達成するのに最適なカバーの他方の開口と換気扇取付枠の構造を提供できること等の特徴がある。そして、またハウスの邪魔にならない部位に換気扇及び／又はその付属装置を配設できる利点がある。
【００３６】
【００３７】
【００３８】
請求項６の発明は、請求項１又は請求項３に記載のカバーの少なくとも天板部は、シャッターを基端で回転した際に、衝止しない位置に設けられている構成とした換気扇の構造である。
【００３９】
従って、請求項６は、請求項１又は請求項３の目的を達成できること、この目的を達成するのに最適なカバーの構造を提供できること等の特徴がある。
【発明を実施するための最良の形態】
【００４０】
本発明の一例を説明する。
以下、本発明の図面の説明をする。図１は第一の実施例のシャッターが換気扇取付枠と同じ鉛直線上（ガイドレールの基端）にある状態であって、ハウスの外側方向（排気方向）にシャッターを設置した例の断面模式図、図２は図１の正面模式図、図３は図１のガイドレールとサイドレールとの関係を説明する要部の平面模式図、図４は第一の実施例のシャッターが換気扇取付枠と同じ鉛直線上にある状態であって、ハウスの内側方向（吸気方向）にシャッターを設置した例の断面模式図、図５は図４の正面模式図、図６は第一の実施例のシャッターが換気扇取付枠より突出したガイドレールの先端にある状態であって、ハウスの内側（混合空気生成可能な状態）にシャッターを設置した例の断面模式図、図７は図６の正面模式図である。また図８は第二の実施例のシャッターが換気扇取付枠と同じ鉛直線上にある状態であって、ハウスの外側方向にシャッターを設置した例の断面模式図、図９は図８の正面模式図、図１０は第二の実施例のシャッターが換気扇取付枠と同じ鉛直線上にある状態であって、ハウスの内側方向にシャッターを設置した例の断面模式図、図１１は図１０の正面模式図、図１２は第二の実施例のシャッターが換気扇取付枠より突出したガイドレールの先端にある状態であって、ハウスの内側にシャッターを設置した例の断面模式図、図１３は図１２の正面模式図である。
【００４１】
先ず、図１〜図７に示した第一の実施例を説明する。
図中１は換気扇のカバーであり、このカバー１はハウスＡの壁面Ａ３に設けた換気扇取付枠２に設けられ、この換気扇取付枠２の鉛直線Ｍ方向に位置するハウスＡの内側Ａ１に開口する他方の開口１ｂと、このハウスＡの外側Ａ２に開口する一方の開口１ａを有し、またカバー１の水平部を通常より延設した天板部１ｃを有する。この換気扇取付枠２の上枠２０には少なくとも一本のガイドレール３と、このガイドレール３に併設して設けられたシャッター（後述する）を支持する対のサイドレール５、５（以下、単独の番号で表示する。以下省略）がそれぞれ設けられている。またその下枠２１には少なくとも一本のガイドレール３０と、このガイドレール３０に併設して設けられたシャッターを支持する対のサイドレール５０がそれぞれ設けられている。そして、この上下側のガイドレール３、３０（旋回兼移動用の手段）と、この上下側のサイドレール５、５０には、長孔６、６０（旋回兼移動用の手段）と、長孔７、７０がそれぞれ設けられている。
【００４２】
図中８、８０はガイドレール３の長孔６と、ガイドレール３０の長孔６０に挿入した止め具（旋回兼移動用の手段）で、この止め具８、８０の基端８ａ、８０ａを長孔６、６０の上に設け、その自由端８ｂ、８０ｂを後述するシャッターのシャッター枠に固止する。従って、長孔６、６０に沿って止め具８、８０をハウスＡの内側Ａ１に向かって移動することで、後述するシャッターがハウスＡの内側Ａ１に移動する。またこの止め具８、８０を、同様の操作でハウスＡの内側Ａ１からその外側Ａ２に移動することで、後述するシャッターがハウスＡの壁面Ａ３に移動する。
【００４３】
図中１０は前記止め具８、８０に固止されたシャッターで、このシャッター１０は換気扇取付枠２の上下枠２０、２１と左右枠２２、２３内に収められる。そして、このシャッター１０は、方形状のシャッター枠１００と、このシャッター枠１００に設けたシャッタープレート取付板１０１と、このシャッタープレート取付板１０１に設けた複数枚のシャッタープレート１０２と、このシャッタープレート１０２の開放と、風の吸排気を図るシャッター枠１００に設けたファン１０３と、このファン１０３を駆動するシャッター枠１００に設けたモータ１０４で構成される。尚、モータ１０４のプーリー（図示せず）とファン１０３の軸に設けたプーリー（図示せず）との間にはベルト（図示せず）が懸架されている。従って、モータ１０４の回転でファン１０３が回転し、この吸排気の風圧でシャッタープレート１０２が開放されてハウスの吸排気が行われる。またその回転停止で閉塞されて吸排気が停止される。また図示しないがシャッタープレート１０２は静圧式もあり得る。尚、このシャッタープレート１０２は連結板（図示せず）で同時に開閉することもできる。
【００４４】
そこで、第一の実施例で説明したシャッター１０の動きと、ハウスＡへの吸排気及び／又は混合空気の生成を説明する。
先ず、図１、図２の状態は上下側のガイドレール３、３０（以下、上下側のガイドレール３、３０等の如く、対の構成は一方側で説明する）の長孔６の基端に止め具８があり、サイドレール５の長孔７に挿入された止め具（図示せず）でシャッター１０を固止する。この状態では、シャッター１０が換気扇取付枠２の鉛直線Ｍの位置にあり、かつこのシャッター１０のファン１０３及びモータ１０４がハウスＡの内側Ａ１に位置し、またシャッター１０のシャッタープレート１０２がハウスＡの壁面Ａ３の外側Ａ２に位置する。この状態では、他方の開口１ｂが吸気側となり、また一方の開口１ａが排気側となる。従って、ファン１０３を回転することで、シャッタープレート１０２が開放し、ハウスＡ内の空気がハウスＡ外に排気される。この空気の流れを矢印「イ」で示す。この排気を介して、ハウスＡ内の暖気・湿気の導入及び／又は汚染空気の排気で作物の好ましい成育環境（労働及び／又は生活環境等）を確保する。
【００４５】
また図４、図５は、前述の図１、図２の状態から、変更した一例であり、先ず、サイドレール５の長孔７に挿入した止め具を弛緩し、ガイドレール３の長孔６に挿入した止め具８を軸としてシャッター１０を回転する。この回転時に、シャッター１０の全面がカバー１に衝止しないように注意する。この回転した後、シャッター１０が換気扇取付枠２の鉛直線Ｍの位置になった状態で、サイドレール５の長孔７に止め具を挿入して緊締すると、このシャッター１０のファン１０３及びモータ１０４がハウスＡの外側Ａ２に位置し、またシャッター１０のシャッタープレート１０２がハウスＡの内側Ａ１に位置する。この状態では、他方の開口１ｂが排気側となり、また一方の開口１ａが吸気側となる。従って、ファン１０３を回転することで、シャッタープレート１０２が開放し、ハウスＡ外の空気がハウスＡ内に吸引される。この空気の流れを矢印「ロ」で示す。この吸気を介して、ハウスＡ内の暖気・湿気の調整及び／又は汚染空気の他の箇所からの排気で作物の好ましい成育環境を確保する。
【００４６】
次に図６、図７は、前述の図４、図５の吸気用としての換気扇（また図示しないが、図１、図２の排気用としての換気扇）の利用から、混合空気の生成に変更した例であり、前記図４、図５のサイドレール５の長孔７に挿入した止め具を弛緩し、シャッター１０をガイドレール３の長孔６と止め具８を利用して移動し、このガイドレール３及び／又は長孔６の先端に止め具８を移動する。そして、サイドレール５の長孔７に挿入した止め具を緊締することで、このシャッター１０のファン１０３及びモータ１０４並びにシャッタープレート１０２がハウスＡの内側Ａ１に位置する。従って、この状態で、ファン１０３が駆動することでシャッタープレート１０２が開放され、一方の開口１ａより外気が吸込まれる。この吸込んだ空気は、他方の開口１ｂよりハウスＡ内に吸込まれる際に、このシャッター１０とハウスＡの壁面Ａ３との間に形成される空気流通用の隙間１１より、このハウスＡ内の空気（内気）を取込み、両空気が混合される。この混合空気をハウスＡ内に導入することで、このハウスＡ内の暖気・湿気の調整及び／又は汚染空気を他の箇所より排気で作物の好ましい成育環境を確保する。
【００４７】
次に、図８〜図１３に示した第二の実施例を説明する。
この第二の実施例は基本的には、前述した第一の実施例の構成と作用は同じであり、その相違点のみ説明する。この例では、ガイドレール３、３０にスライダー１２、１２００
（以下、単独の番号で表示する）を内装又は外装し、このスライダー１２（旋回兼移動用の手段）に設け、かつガイドレール３の長孔６に挿入した止め具８を介してシャッター１０を支持する。この例では、ガイドレール３に設けた長孔６に止め具８を挿入し、この止め具８の基端８ａをスライダー１２に設け、その自由端８ｂをシャッター１０のシャッター枠１００に固止する（他の止め具８０も同様である）。そして、このスライダー１２がガイドレール３に沿って移動する構成である。尚、スライダー１２を換気扇取付枠２の鉛直線Ｍの位置に設置することは可能である。
【００４８】
この例では、スライダー１２がガイドレール３に沿って移動することと、シャッター１０がこのスライダー１２とシャッター１０を支持する止め具８等を介して移動し、またスライダー１２に設けた止め具８を軸としてシャッター１０を旋回すること等によって、シャッター１０の移動と旋回を図る構成である。
【００４９】
またスライダー１２をガイドレール３の下側に設ける構成は、このスライダー１２をガイドレール３の長孔６に挿入した止め具８で支持し、かつこのスライダー１２に図示しない止め具を介してシャッター１０を設ける。他の構成等は前述の各例に準ずる。
尚、図中１３はカバー１の一方の開口１ａに設けた防虫ネットである。
【図面の簡単な説明】
【００５０】
【図１】図１は第一の実施例のシャッターが換気扇取付枠と同じ鉛直線上（ガイドレールの基端）にある状態であって、ハウスの外側方向（排気方向）にシャッターを設置した例の断面模式図
【図２】図２は図１の正面模式図
【図３】図３は図１のガイドレールとサイドレールとの関係を説明する要部の平面模式図、
【図４】図４は第一の実施例のシャッターが換気扇取付枠と同じ鉛直線上にある状態であって、ハウスの内側方向（吸気方向）にシャッターを設置した例の断面模式図
【図５】図５は図４の正面模式図
【図６】図６は第一の実施例のシャッターが換気扇取付枠より突出したガイドレールの先端にある状態であって、ハウスの内側（混合空気生成可能な状態）にシャッターを設置した例の断面模式図
【図７】図７は図６の正面模式図
【図８】図８は第二の実施例のシャッターが換気扇取付枠と同じ鉛直線上にある状態であって、ハウスの外側方向にシャッターを設置した例の断面模式図
【図９】図９は図８の正面模式図
【図１０】図１０は第二の実施例のシャッターが換気扇取付枠と同じ鉛直線上にある状態であって、ハウスの内側方向にシャッターを設置した例の断面模式図
【図１１】図１１は図１０の正面模式図
【図１２】図１２は第二の実施例のシャッターが換気扇取付枠より突出したガイドレールの先端にある状態であって、ハウスの内側にシャッターを設置した例の断面模式図
【図１３】図１３は図１２の正面模式図
【符号の説明】
【００５１】
１  カバー
１ａ  一方の開口
１ｂ  他方の開口
１ｃ  天板部
２  換気扇取付枠
２０  上枠
２１  下枠
２２  左枠
２３  右枠
３  ガイドレール
３０  ガイドレール
５  サイドレール
５０  サイドレール
６  長孔
６０  長孔
７  長孔
７０  長孔
８  止め具
８ａ  基端
８ｂ  自由端
８０  止め具
８０ａ  基端
８０ｂ  自由端
１０  シャッター
１００  シャッター枠
１０１  シャッタープレート取付板
１０２  シャッタープレート
１０３  ファン
１０４  モータ
１１  隙間
１２  スライダー
１２００  スライダー
１３  防虫ネット
Ａ  ハウス
Ａ１  内側
Ａ２  外側
Ａ３  壁面
Ｍ  鉛直線
【図１】
0004751176.tif 000002
【図２】
0004751176.tif 000003
【図３】
0004751176.tif 000004
【図４】
0004751176.tif 000005
【図５】
0004751176.tif 000006
【図６】
0004751176.tif 000007
【図７】
0004751176.tif 000008
【図８】
0004751176.tif 000009
【図９】
0004751176.tif 000010
【図１０】
0004751176.tif 000011
【図１１】
0004751176.tif 000012
【図１２】
0004751176.tif 000013
【図１３】
0004751176.tif 000014